(57)【要約】【課題】一開示は、使用帯域内での周波数ディップの発生及び飽和電力特性の劣化を抑制することができる。【解決手段】並列配置されたピーク増幅器とキャリア増幅器を用いて信号を増幅する増幅装置であって、前記ピーク増幅器の電流に関する電流値を検出する検出部と、前記検出した電流値に応じて、前記ピーク増幅器の出力電力を調整する調整素子と前記ピーク増幅器との接続状態を切り替える制御部とを有する。【選択図】  図３
2019068225.tif 000002
【特許請求の範囲】
【請求項１】
並列配置されたピーク増幅器とキャリア増幅器を用いて信号を増幅する増幅装置であって、
前記ピーク増幅器の電流に関する電流値を検出する検出部と、
前記検出した電流値に応じて、前記ピーク増幅器の出力電力を調整する調整素子と前記ピーク増幅器との接続状態を切り替える制御部とを有する
増幅装置。
【請求項２】
前記検出部は、前記ピーク増幅器を流れる電流量を測定し、測定結果を前記電流値として検出し、
前記制御部は、前記電流値が電流閾値より低い場合、前記調整素子を前記ピーク増幅器と非接続の状態に切り替える
請求項１記載の増幅装置。
【請求項３】
前記電流閾値は、前記キャリア増幅器のアイドル電流である
請求項２記載の増幅装置。
【請求項４】
前記検出部は、前記キャリア増幅器を流れる電流量を測定し、測定結果を前記の電流値として検出し、
前記制御部は、前記電流値が第１閾値より低い場合、前記調整素子を前記ピーク増幅器と非接続の状態に切り替え、
前記第１閾値は、前記ピーク増幅器に前記キャリア増幅器のアイドル電流と同じ電流量が流れる前記増幅装置への入力電力を、前記増幅装置に入力したときに、前記キャリア増幅器に流れる電流量である
請求項１記載の増幅装置。
【請求項５】
前記検出部は、前記増幅装置の入力電力を測定し、測定結果を前記の電流値として検出し、
前記制御部は、前記電流値が第２閾値より低い場合、前記調整素子を前記ピーク増幅器と非接続の状態に切り替え、
前記第２閾値は、前記ピーク増幅器に前記キャリア増幅器のアイドル電流と同じ電流量が流れる前記増幅装置への入力電力である
請求項１記載の増幅装置。
【請求項６】
前記検出部は、前記増幅装置の出力電力を測定し、測定結果を前記の電流値として検出し、
前記制御部は、前記電流値が第３閾値より低い場合、前記調整素子を前記ピーク増幅器と非接続の状態に切り替え、
前記第３閾値は、前記ピーク増幅器に前記キャリア増幅器のアイドル電流と同じ電流量が流れる前記増幅装置への入力電力を、前記増幅装置に入力した場合の、前記増幅装置の出電力である
請求項１記載の増幅装置。
【請求項７】
前記アイドル電流は、前記キャリア増幅器に流れる電流の下限値である
請求項３乃至６記載の増幅装置。
【請求項８】
並列配置されたピーク増幅器とキャリア増幅器を用いて信号を増幅する増幅装置を有する無線通信装置であって、
前記ピーク増幅器の電流に関する電流値を検出する検出部と、
前記検出した電流値に応じて、前記ピーク増幅器の出力電力を調整する調整素子と前記ピーク増幅器との接続状態を切り替える制御部とを有する
無線通信装置。
【請求項９】
並列配置されたピーク増幅器とキャリア増幅器を用いて信号を増幅する増幅装置における増幅方法であって、
前記ピーク増幅器の電流に関する電流値を検出し、
前記検出した電流値に応じて、前記ピーク増幅器の出力電力を調整する調整素子と前記ピーク増幅器との接続状態を切り替える
増幅方法。
【発明の詳細な説明】
【技術分野】
【０００１】
本発明は、増幅装置、無線通信装置、及び増幅方法に関する。
【背景技術】
【０００２】
無線通信システムにおける基地局装置は、送信電力増幅器を有し、無線通信する端末装置に送信する信号の送信電力を増幅する。送信電力増幅器は、ピーク出力における電力と平均出力における電力の差が大きい場合がある。特に高周波の信号に対して送信電力を増幅する場合、ピーク出力の電力変換効率が高くても、平均出力における電力付近での電力変換効率は低くなり、消費電力が増大する場合がある。そこで、基地局装置は、高周波の信号用の電力増幅器として、ドハティ増幅器又は逆ドハティ増幅器を使用する場合がある。
【０００３】
ドハティ増幅器又は逆ドハティ増幅器は、キャリア増幅器（CA:Carrier Amplifier）及びピーク増幅器(PA:Peak Amplifier)を有し、各増幅器の四分の一波長インピーダンス反転回路により直接出力を結合する。
【０００４】
ドハティ増幅器又は逆ドハティ増幅器に関する技術は、以下の特許文献１〜４に記載されている。
【先行技術文献】
【特許文献】
【０００５】
【特許文献１】国際公開第2008/136080号
【特許文献２】特開2015-220680号公報
【特許文献３】特開平05-315994号公報
【特許文献４】特開2005-117599号公報
【発明の概要】
【発明が解決しようとする課題】
【０００６】
しかし、ドハティ増幅器又は逆ドハティ増幅器を広帯域化で使用する場合、出力電力が低い時、ＣＡ出力にオフ状態のＰＡが影響し、広帯域化を阻害する場合があり、特定の周波数周辺で出力電力が極端に小さくなる周波数ディップが発生する。使用帯域内での周波数ディップが発生すると、特定の周波数で送信電力が小さくなり、無線通信を適正に実施することができない。
【０００７】
また、周波数ディップが使用する周波数帯域内で発生しないよう、ＰＡの出力電力を調整する調整素子を接続した場合、出力電力が高い領域での飽和電力特性が劣化する場合がある。この場合、飽和電力特性が劣化する電力で出力する場合、より高い入力電力を供給するための電源が必要となり、電力効率が低下する。
【０００８】
そこで、一開示は、使用帯域内での周波数ディップの発生及び飽和電力特性の劣化を抑制する増幅装置、無線通信装置、及び増幅方法を提供する。
【課題を解決するための手段】
【０００９】
１つの側面では、並列配置されたピーク増幅器とキャリア増幅器を用いて信号を増幅する増幅装置であって、前記ピーク増幅器の電流に関する電流値を検出する検出部と、前記検出した電流値に応じて、前記ピーク増幅器の出力電力を調整する調整素子と前記ピーク増幅器との接続状態を切り替える制御部とを有する。
【発明の効果】
【００１０】
一開示は、使用帯域内での周波数ディップの発生及び飽和電力特性の劣化を抑制することができる。
【図面の簡単な説明】
【００１１】
【図１】図１は、無線通信システム１０の構成例を示す図である。
【図２】図２は、基地局装置２００の構成例を示す図である。
【図３】図３は、増幅器２５２の構成例を示す図である。
【図４】図４は、測定回路２５２４、スイッチ２５２５、調整素子２５２６の構成例を示す図である。
【図５】図５は、周波数ディップの例を示す図である。
【図６】図６は、ドレイン効率の例を示す図である。
【図７】図７は、周波数ディップ、飽和電力特性、及びドレイン効率の例を示す図である。
【図８】図８は、増幅器制御処理Ｓ１００の処理フローチャートの例を示す図である。
【図９】図９は、調整素子２５２６が非接続である場合の、増幅器２５２の出力電力と周波数の関係の例を示す図である。
【図１０】図１０は、増幅器２５２の入力電力と、増幅器２５２の出力電力、ＰＡ及びＣＡの電流との関係の例を示す図である。
【図１１】図１１は、第１の実施の形態の制御を行った場合と、調整素子なしの場合の、増幅器２５２の出力電力とドレイン効率の関係の例を示す図である。
【図１２】図１２は、電流閾値に対応するＣＡのドレイン電流の例を示す図である。
【図１３】図１３は、電流閾値に対応する増幅器の入出力電力の例を示す図である。
【発明を実施するための形態】
【００１２】
[第１の実施の形態]
第１の実施の形態について説明する。増幅器（増幅装置）は、ＰＡ（ピーク増幅器）とＣＡ（キャリア増幅器）を有する。増幅器は、ＰＡの電流に関する電流値を検出（又は測定）する測定回路（検出部）を有する。また、増幅器の測定回路（制御部）は、検出した電流値に応じて、スイッチを制御し、ＰＡの出力電力を調整する調整素子とＰＡとの接続状態を切り替える。
【００１３】
＜無線通信システムの構成例＞
図１は、無線通信システム１０の構成例を示す図である。無線通信システム１０は、端末装置１００、基地局装置２００を有する。無線通信システム１０は、例えば、ＬＴＥ（Long Term Evolution）などの無線通信ネットワークである。無線通信システム１０は、例えば、広帯域化を行う通信システムである。
【００１４】
基地局装置２００は、増幅器２５２を有する。基地局装置２００は、端末装置１００に信号を送信するとき、増幅器２５２を使用して信号の送信電力を増幅する。
【００１５】
増幅器２５２は、入力した信号を、入力電力を増幅させた出力電力で出力する装置である。増幅器２５２は、例えば、ドハティ増幅器である。ドハティ増幅器は、Ｂ〜ＡＢ級バイアス動作のＣＡ、及びＣ級バイアス動作のＰＡを、四分の一波長インピーダンス反転回路により直接出力を結合する。ドハティ増幅器は、例えば、飽和出力電力から大きくバックオフを取った入力領域において、高い電力効率を得ることができる。
【００１６】
また、増幅器２５２は、逆ドハティ増幅器であってもよい。逆ドハティ増幅器は、ドハティ増幅器のＣＡとＰＡの接続を入れ替えた増幅器である。逆ドハティ増幅器は、例えば、高出力デバイスで広帯域化を行う基地局装置に使用される場合がある。
【００１７】
第１の実施の形態では、基地局装置２００は、広帯域での出力電力（送信電力）が高出力となるよう、増幅器２５２を制御する。
【００１８】
＜基地局装置の構成例＞
図２は、基地局装置２００の構成例を示す図である。基地局装置２００は、ＣＰＵ（Central Processing Unit）２１０、ストレージ２２０、ＤＲＡＭ（Dynamic Random Access Memory）などのメモリ２３０、ＮＩＣ（Network Interface Card）２４０、及びＲＦ（Radio Frequency）回路２５０を有する無線通信装置である。
【００１９】
ストレージ２２０は、プログラムやデータを記憶する、フラッシュメモリ、ＨＤＤ（Hard Disk Drive）、又はＳＳＤ（Solid State Drive）などの補助記憶装置である。ストレージ２２０は、無線通信プログラム２２１及び増幅器制御プログラム２２２を記憶する。
【００２０】
メモリ２３０は、ストレージ２２０に記憶されているプログラムをロードする領域である。また、メモリ２３０は、プログラムがデータを記憶する領域としても使用される。
【００２１】
ＮＩＣ２４０は、例えば、外部ネットワークやＭＭＥ（Mobility Management Entity）と接続するネットワークインターフェースである。基地局装置２００は、ＮＩＣ２４０を介して、ＭＭＥや外部ネットワークとデータや制御用信号を送受信する。
【００２２】
ＲＦ回路２５０は、端末装置１００と無線接続し、信号を送受信する装置である。ＲＦ回路２５０は、アンテナ２５１及び増幅器２５２を有する。増幅器２５２の詳細については、後述する。
【００２３】
ＣＰＵ２１０は、無線通信プログラム２２１を実行することで、無線通信処理を行う。無線通信処理は、端末装置１００と無線接続し、端末装置１００と通信する、又は端末装置１００が外部ネットワークや他の端末装置と行う通信を中継する処理である。
【００２４】
ＣＰＵ２１０は、増幅器制御プログラム２２２を実行することで、検出部及び制御部を構築し、増幅器制御処理を行う。増幅器制御処理は、例えば、ＰＡと調整素子が接続中である接続中状態にしたり、ＰＡと調整素子が切断した非接続状態にしたり、ＰＡと調整素子の接続状態を切り替える処理である。基地局装置２００は、増幅器制御処理において、ＰＡを流れる電流（ドレイン電流）を測定（検出）し、測定したドレイン電流に応じて、接続状態を切り替える。
【００２５】
また、ＣＰＵ２１０は、増幅器制御プログラム２２２が有するＰＡ電流測定モジュール２２２１を実行することで、検出部を構築し、ＰＡ電流測定処理を行う。ＰＡ電流測定処理は、ＰＡに流れるドレイン電流を測定（検出）する処理である。
【００２６】
なお、増幅器２５２が増幅器制御処理を行う場合、増幅器２５２のそれぞれの処理部又は回路が、増幅器制御処理を行う。また、増幅器２５２がＣＰＵやメモリを有する場合、増幅器２５２のＣＰＵが所定のプログラムを実行することで、増幅器制御処理を行ってもよい。
【００２７】
＜増幅器の構成例＞
図３は、増幅器２５２の構成例を示す図である。増幅器２５２は、ＣＡ２５２１、ＰＡ２５２２、四分の一波長インピーダンス反転回路２５２３−１，２、測定回路２５２４、スイッチ２５２５、調整素子２５２６、コイル２５２７、コンデンサ２５２８、及び電源装置２５２４１を有する。増幅器２５２は、例えば、逆ドハティ増幅器に対して、測定回路２５２４、スイッチ２５２５、及び調整素子２５２６を付加した増幅器である。
【００２８】
ＣＡ２５２１は、キャリア増幅器であり、入力した信号に対して電力を増幅して出力する装置である。ＣＡ２５２１は、例えば、Ａ級〜Ｂ級（又はＡＢ級）のバイアス動作をする増幅器である。ＣＡ２５２１は、例えば、バイアス動作によって、ＣＡ２５２１に流れる電流の下限値（入力電力に依らず流れる電流）であるアイドル電流の電流量の設定することができる。アイドル電流の電流量は、例えば、増幅器２５２（又は基地局装置２００）の管理者が設定する。
【００２９】
ＰＡ２５２２は、ピーク増幅器であり、所定値（ピーク値）以上の入力電力の信号に対して電力を増幅して出力する装置である。ＰＡ２５２１は、例えば、Ｃ級のバイアス動作をする増幅器である。なお、ＣＡ２５５１とＰＡ２５５２は、例えば、図３に示すよう、並列に配置される。
【００３０】
四分の一波長インピーダンス反転回路２５２３−１，２は、入力した信号の波長を四分の一反転させる装置である。四分の一波長インピーダンス反転回路２５２３−１は、ＣＡ２５２１の入力側に設置され、四分の一波長インピーダンス反転回路２５２３−２は、ＰＡ２５２２の出力側に設置される。
【００３１】
測定回路２５２４は、ＰＡ２５２２に流れる電流（ドレイン電流）を測定する回路である。測定回路２５２４は、ドレイン電流が電流閾値以上である場合、スイッチ２５２５を制御し、調整素子２５２６とＰＡ２５２２との接続を切断する。また、測定回路２５２４は、ドレイン電流が電流閾値未満である場合、スイッチ２５２５を制御し、調整素子２５２６とＰＡ２５２２とを接続する。
【００３２】
電源装置２５２４１は、測定回路２５２４に電流を流す装置である。測定回路２５２４は、例えば、電源装置２５２４１からの電流と、ＰＡ２５２２のドレイン電流を比較する。
【００３３】
調整素子２５２６は、リアクタンス素子であり、例えば、コイルやコンデンサである。調整素子２５２６は、ＰＡ２５２２と接続時、ＰＡ２５２２の出力電力を調整する。
【００３４】
コイル（インダクタ）２５２７とコンデンサ２５２８は、例えば、電流の急激な変化を抑制する。
【００３５】
なお、増幅器２５２は、例えば、ドハティ増幅器に対して、測定回路２５２４、スイッチ２５２５、及び調整素子２５２６を付加した増幅器であってもよい。この場合、四分の一波長インピーダンス反転回路２５２３−１は、ＣＡ２５２１の出力側に設置され、四分の一波長インピーダンス反転回路２５２３−２は、ＰＡ２５２２の入力側に設置される。
【００３６】
図４は、測定回路２５２４、スイッチ２５２５、調整素子２５２６の構成例を示す図である。
【００３７】
測定回路２５２４は、例えば、電源を供給する電源２５２４１、コンパレータ２５２４２、及び抵抗２５２４３を有する。測定回路２５２４は、電流閾値以上の電流をコンパレータ２５２４２で検出すると、スイッチ２５２５をＯＦＦ（非接続）にし、電流閾値未満の電流をコンパレータ２５２４２で検出すると、スイッチ２５２５をＯＮ（接続）にする。
【００３８】
スイッチ２５２５は、スイッチ端子２５２５１を有し、測定回路２５２４によってＯＮにされると、ＰＡ２５２１とスイッチ端子２５２５１を接続し、ＯＦＦにされると、ＰＡ２５２１とスイッチ端子２５２５１を切断する。
【００３９】
調整素子２５２６は、例えば、コンデンサ２５２６１を有する。また、調整素子２５２６は、アース（図示しない）を有してもよい。調整素子２５２６は、スイッチ２５２５の制御により、ＰＡ２５２１と接続又は非接続状態となる。
【００４０】
＜増幅器制御処理＞
第１の実施の形態において、増幅器２５２は、ＰＡ２５２１と調整素子２５２６との接続状態を切り替える。以下、調整素子２５２６とＰＡ２５２１が接続している場合（接続中状態）と、調整素子２５２６とＰＡ２５２１が非接続である場合（非接続状態）における、周波数ディップ、飽和電力特性、及びドレイン効率について説明する。
【００４１】
図５は、周波数ディップの例を示す図である。周波数ディップとは、特定の周波数帯域での出力電力が極端（例えば、平均出力電力から所定値以上）に小さくなる現象である。増幅器２５２を有する基地局装置２００が使用する周波数帯域（使用帯域）で周波数ディップが発生すると、信号を所望の送信電力で送信することができず、信号が通信相手装置まで到達しない場合がある。図４によると、調整素子あり（接続中状態）の場合、基地局装置２００の使用帯域Ｒ１において、周波数ディップは発生しない。一方、調整素子なし（非接続状態）の場合、基地局装置２００の使用帯域Ｒ１において、Ｐ１で示す周波数ディップが発生する。すなわち、増幅器２５２は、調整素子と接続することで、周波数ディップが発生する周波数帯域を変更（調整）することができる。
【００４２】
図６は、ドレイン効率の例を示す図である。ドレイン効率とは、増幅器２５２の入力電力（供給電力）と、出力電力の比である。図６に示すように、調整素子なしのドレイン効率が、調整素子ありのドレイン効率より、平均して高くなる。
【００４３】
また、調整素子ありの場合のドレイン効率は、例えば、５６ｄＢｍから５８ｄＢｍにおいて、調整素子なしの場合のドレイン効率よりも大きく下がっている（Ｐ２）。これは、調整素子ありの場合、出力電力が高い領域で、飽和電力特性が急激に劣化することを示す。
【００４４】
図７は、周波数ディップ、飽和電力特性、及びドレイン効率の例を示す図である。
【００４５】
周波数ディップは、調整素子なしの場合、使用帯域内で発生する。一方、周波数ディップは、調整素子ありの場合、使用帯域内では発生しない。よって、増幅器２５２は、周波数ディップの使用帯域内での発生を抑制するには、調整素子ありが好ましい。
【００４６】
飽和電力特性は、調整素子なしの場合、急激な劣化は発生しない。一方、飽和電力特性は、調整素子ありの場合、高い出力電力において急激な性劣化が発生する。よって、増幅器２５２は、高い出力電力において飽和電力特性の急激な劣化の発生を抑制するには、調整素子なしが好ましい。
【００４７】
ドレイン効率は、調整素子ありの場合が、調整素子なしと比較して、比較的高い。よって、増幅器２５２は、ドレイン効率に関して、調整素子ありが好ましい。
【００４８】
図７で示すように、調整素子なしの場合、周波数ディップが使用帯域内で発生する。一方、調整素子ありの場合、周波数ディップが使用帯域内で発生せず、ドレイン効率も高くなるが、高い出力電力領域における飽和電力特性の急激な劣化が発生する。そこで、第１の実施の形態では、周波数ディップ、ドレイン効率、及び飽和電力特性の全てが良好な値（あるいは所定範囲内）となるよう、調整素子の接続、非接続を制御する。
【００４９】
図８は、増幅器制御処理Ｓ１００の処理フローチャートの例を示す図である。増幅器制御処理Ｓ１００は、基地局装置２００が端末装置１００に信号を送信するときに実施される処理である。なお、増幅器制御処理Ｓ１００は、基地局装置２００のＣＰＵ２１０が所定のプログラムを実行することで実施されてもよいし、増幅器２５２の処理部や回路により実施されてもよい。図８の説明においては、増幅器２５２の処理部や回路が増幅器制御処理Ｓ１００を実施する場合について説明する。
【００５０】
測定回路２５２４は、ＰＡ電流測定処理を行う（Ｓ１０１）。測定回路２５２４は、ＰＡ電流測定処理Ｓ１０１において、ＰＡ２５２２のドレイン電流を測定する。測定回路２５２４は、ＰＡ２５２２のドレイン電流が電流閾値未満である場合（Ｓ１０２のＹｅｓ）、スイッチ２５２５を制御し、ＰＡ２５２２から調整素子２５２６を接続し（Ｓ１０３）、接続状態とする。
【００５１】
一方、測定回路２５２４は、ＰＡのドレイン電流が電流閾値未満でない場合（Ｓ１０２のＮｏ）、スイッチ２５２５を制御し、ＰＡ２５２２と調整素子２５２６とを切断し（Ｓ１０４）、接続状態とする。以降、増幅器２５２は、ＰＡ電流測定処理Ｓ１０１と処理Ｓ１０２〜処理Ｓ１０４を繰り返す。
【００５２】
図９は、調整素子２５２６が非接続である場合の、増幅器２５２の出力電力と周波数の関係の例を示す図である。なお、図９は、調整素子２５２６が常に非接続（調整素子なし）の場合の例である。図９に示すように、入力電力が２６ｄＢｍである場合、大きな周波数ディップが現れる（Ｐ３）。しかし、入力電力が３４ｄＢｍ以上になると、２６ｄＢｍの場合と比較して、周波数ディップは小さく、より低い周波数帯域で現れる（Ｐ４）。そのため、電流閾値は、３４ｄＢｍ近傍に設定することが好ましい。
【００５３】
図１０は、増幅器２５２の入力電力と、増幅器２５２の出力電力、ＰＡ及びＣＡの電流との関係の例を示す図である。図１０によると、例えば、増幅器２５２の入力電力が３５ｄＢｍ（３４ｄＢｍ近傍）である場合、ＰＡの電流は１Ａである。図１０におけるＣＡのアイドル電流が１Ａであることから、電流閾値をＣＡのアイドル電流の設定値とすることで、周波数ディップが小さく、ＰＡが安定して動作するＰＡのドレイン電流に基づき、調整素子の接続、非接続を切り替えることができる。
【００５４】
図１１は、第１の実施の形態の制御を行った場合と、調整素子なしの場合の、増幅器２５２の出力電力とドレイン効率の関係の例を示す図である。図１１に示すように、第１の実施の形態における制御を行うことで、図６に示す調整素子ありの場合に発生する急激なドレイン効率の低下（図６のＰ２）が発生せず、飽和電力特性の急激な劣化の抑制、及び高いドレイン効率が実現できる。
【００５５】
第１の実施の形態において、増幅器（又は基地局装置）は、ＰＡが安定した動作を行うまでは調整素子を接続し、ＰＡが安定した動作を行うと想定されるドレイン電流を検出すると、調整素子を切断する。これにより、使用帯域内での周波数ディップの発生を抑制しつつ、調整素子を接続することによる飽和電力特性の急激な劣化を防止することができる。
【００５６】
[第２の実施の形態]
次に、第２の実施の形態について説明する。第１の実施の形態では、基地局装置２００（又は増幅器２５２）は、ＰＡのドレイン電流を測定する。第２の実施の形態では、ＰＡのドレイン電流に代替し、他の測定を行う。
【００５７】
＜１．測定対象がＣＡのドレイン電流＞
測定対象がＣＡのドレイン電流の場合、測定したＣＡのドレイン電流が、電流閾値に対応するＣＡのドレイン電流（電流閾値に対応するＣＡのドレイン電流閾値）以上である場合、調整素子２５２６を非接続にする。
【００５８】
図１２は、電流閾値に対応するＣＡのドレイン電流の例を示す図である。図１２によると、電流閾値（１Ａ）に対応する増幅器２５２の入力電力は３５ｄＢｍであり、３５ｄＢｍに対応するＣＡのドレイン電流は、２．５Ａとなる。すなわち、電流閾値に対応するＣＡのドレイン電流閾値は２．５Ａとなる。
【００５９】
＜２．測定対象が増幅器の入出力電力＞
測定対象が増幅器の入力電力の場合、測定した増幅器の入力電力が、電流閾値に対応する増幅器の入力電力（電流閾値に対応する増幅器の入力電力閾値）以上である場合、調整素子２５２６を非接続にする。
【００６０】
同様に、測定対象が増幅器の出力電力の場合、測定した増幅器の出力電力が、電流閾値に対応する増幅器の出力電力（電流閾値に対応する増幅器の出力電力閾値）以上である場合、調整素子２５２６を非接続にする。
【００６１】
図１３は、電流閾値に対応する増幅器の入出力電力の例を示す図である。図１３によると、電流閾値（１Ａ）に対応する増幅器２５２の入力電力は３５ｄＢｍであり、出力電力は４９ｄＢｍとなる。すなわち、電流閾値に対応する増幅器の入力電力閾値は３５ｄＢｍ、電流閾値に対応する増幅器の出力電力閾値は４９ｄＢｍとなる。
【００６２】
＜３．その他の測定対象＞
基地局装置２００（又は増幅器２５２）は、例えば、ＰＡ及びＣＡの入出力電力を測定してもよい。この場合、基地局装置２００（又は増幅器２５２）は、測定結果に対応する電流閾値に対応する閾値と、測定結果を比較する。
【００６３】
ＰＡの入力電力を測定する場合、電流閾値に対応する閾値は、ＰＡにＣＡのアイドル電流と同じ電流量が流れる増幅器２５２への入力電力を、増幅器２５２へ入力した場合の、ＰＡの入力電力である。
【００６４】
また、ＰＡの出力電力を測定する場合、電流閾値に対応する閾値は、ＰＡにＣＡのアイドル電流と同じ電流量が流れる増幅器２５２への入力電力を、増幅器２５２へ入力した場合の、ＰＡの出力電力である。
【００６５】
さらに、ＣＡの入力電力を測定する場合、電流閾値に対応する閾値は、ＰＡにＣＡのアイドル電流と同じ電流量が流れる増幅器２５２への入力電力を、増幅器２５２へ入力した場合の、ＣＡの入力電力である。
【００６６】
さらに、ＣＡの出力電力を測定する場合、電流閾値に対応する閾値は、ＰＡにＣＡのアイドル電流と同じ電流量が流れる増幅器２５２への入力電力を、増幅器２５２へ入力した場合の、ＣＡの出力電力である。
【００６７】
なお、ＰＡ、ＣＡの入力電力は、増幅器２５２の入力電力を分離した電力であるため、増幅器２５２の入力電力以下の電力となる。また、ＰＡ、ＣＡの出力電力は、それぞれを合成して増幅器２５２の出力電力となるため、増幅器２５２の出力電力以下の電力となる。
【００６８】
第２の実施の形態では、ＰＡのドレイン電流以外の電流や電力を測定し、電流閾値に対応する閾値と比較することで、調整素子の接続、非接続を制御する。これにより、ＰＡのドレイン電流を測定せずに、電流閾値を使用した制御（第１の実施の形態における増幅器制御処置）と同等の制御を行うことができる。この場合、管理者は、測定の難易度や、装置構成などを考慮し、測定内容を決定すればよい。
【００６９】
以上の第１及び第２の実施の形態を含む実施形態に関し、更に以下の付記を開示する。
【００７０】
（付記１）
並列配置されたピーク増幅器とキャリア増幅器を用いて信号を増幅する増幅装置であって、
前記ピーク増幅器の電流に関する電流値を検出する検出部と、
前記検出した電流値に応じて、前記ピーク増幅器の出力電力を調整する調整素子と前記ピーク増幅器との接続状態を切り替える制御部とを有する
増幅装置。
【００７１】
（付記２）
前記検出部は、前記ピーク増幅器を流れる電流量を測定し、測定結果を前記電流値として検出し、
前記制御部は、前記電流値が電流閾値より低い場合、前記調整素子を前記ピーク増幅器と非接続の状態に切り替える
付記１記載の増幅装置。
【００７２】
（付記３）
前記電流閾値は、前記キャリア増幅器のアイドル電流である
付記２記載の増幅装置。
【００７３】
（付記４）
前記ピーク増幅器は、入力電力が第１入力電力量以上の場合に出力電力を増幅し、
前記電流閾値は、前記第１入力電力量より所定量だけ大きい電力量を前記ピーク増幅器に入力したときに、前記ピーク増幅器に流れる電流の電流量である
付記２記載の増幅装置。
【００７４】
（付記５）
前記検出部は、前記キャリア増幅器を流れる電流量を測定し、測定結果を前記の電流値として検出し、
前記制御部は、前記電流値が第１閾値より低い場合、前記調整素子を前記ピーク増幅器と非接続の状態に切り替え、
前記第１閾値は、前記ピーク増幅器に前記キャリア増幅器のアイドル電流と同じ電流量が流れる前記増幅装置への入力電力を、前記増幅装置に入力したときに、前記キャリア増幅器に流れる電流量である
付記１記載の増幅装置。
【００７５】
（付記６）
前記検出部は、前記増幅装置の入力電力を測定し、測定結果を前記の電流値として検出し、
前記制御部は、前記電流値が第２閾値より低い場合、前記調整素子を前記ピーク増幅器と非接続の状態に切り替え、
前記第２閾値は、前記ピーク増幅器に前記キャリア増幅器のアイドル電流と同じ電流量が流れる前記増幅装置への入力電力である
付記１記載の増幅装置。
【００７６】
（付記７）
前記検出部は、前記増幅装置の出力電力を測定し、測定結果を前記の電流値として検出し、
前記制御部は、前記電流値が第３閾値より低い場合、前記調整素子を前記ピーク増幅器と非接続の状態に切り替え、
前記第３閾値は、前記ピーク増幅器に前記キャリア増幅器のアイドル電流と同じ電流量が流れる前記増幅装置への入力電力を、前記増幅装置に入力した場合の、前記増幅装置の出電力である
付記１記載の増幅装置。
【００７７】
（付記８）
前記検出部は、前記ピーク増幅器の入力電力を測定し、測定結果を前記の電流値として検出し、
前記制御部は、前記電流値が第４閾値より低い場合、前記調整素子を前記ピーク増幅器と非接続の状態に切り替え、
前記第４閾値は、前記ピーク増幅器に前記キャリア増幅器のアイドル電流と同じ電流量が流れる前記増幅装置への入力電力を、前記増幅装置へ入力した場合の、前記ピーク増幅器の入力電力である
付記１記載の増幅装置。
【００７８】
（付記９）
前記検出部は、前記ピーク増幅器の出力電力を測定し、測定結果を前記の電流値として検出し、
前記制御部は、前記電流値が第５閾値より低い場合、前記調整素子を前記ピーク増幅器と非接続の状態に切り替え、
前記第５閾値は、前記ピーク増幅器に前記キャリア増幅器のアイドル電流と同じ電流量が流れる前記増幅装置への入力電力を、前記増幅装置へ入力した場合の、前記ピーク増幅器の出力電力である
付記１記載の増幅装置。
【００７９】
（付記１０）
前記検出部は、前記キャリア増幅器の入力電力を測定し、測定結果を前記の電流値として検出し、
前記制御部は、前記電流値が第６閾値より低い場合、前記調整素子を前記ピーク増幅器と非接続の状態に切り替え、
前記第６閾値は、前記ピーク増幅器に前記キャリア増幅器のアイドル電流と同じ電流量が流れる前記増幅装置への入力電力を、前記増幅装置へ入力した場合の、前記キャリア増幅器の入力電力である
付記１記載の増幅装置。
【００８０】
（付記１１）
前記検出部は、前記キャリア増幅器の出力電力を測定し、測定結果を前記の電流値として検出し、
前記制御部は、前記電流値が第７閾値より低い場合、前記調整素子を前記ピーク増幅器と非接続の状態に切り替え、
前記第７閾値は、前記ピーク増幅器に前記キャリア増幅器のアイドル電流と同じ電流量が流れる前記増幅装置への入力電力を、前記増幅装置へ入力した場合の、前記キャリア増幅器の出力電力である
付記１記載の増幅装置。
【００８１】
（付記１２）
前記アイドル電流は、前記キャリア増幅器に流れる電流の下限値である
付記２乃至１１記載の増幅装置。
【００８２】
（付記１３）
前記調整素子は、リアクタンス素子である
付記１記載の増幅装置。
【００８３】
（付記１４）
前記リアクタンス素子は、コンデンサを含む
付記１３記載の増幅装置。
【００８４】
（付記１５）
前記リアクタンス素子は、コイルを含む
付記１３記載の増幅装置。
【００８５】
（付記１６）
前記増幅装置は、ドハティ増幅装置である
付記１記載の増幅装置。
【００８６】
（付記１７）
前記増幅装置は、逆ドハティ増幅装置である
付記１記載の増幅装置。
【００８７】
（付記１８）
並列配置されたピーク増幅器とキャリア増幅器を用いて信号を増幅する増幅装置を有する無線通信装置であって、
前記ピーク増幅器の電流に関する電流値を検出する検出部と、
前記検出した電流値に応じて、前記ピーク増幅器の出力電力を調整する調整素子と前記ピーク増幅器との接続状態を切り替える制御部とを有する
無線通信装置。
【００８８】
（付記１９）
並列配置されたピーク増幅器とキャリア増幅器を用いて信号を増幅する増幅装置における増幅方法であって、
前記ピーク増幅器の電流に関する電流値を検出し、
前記検出した電流値に応じて、前記ピーク増幅器の出力電力を調整する調整素子と前記ピーク増幅器との接続状態を切り替える
増幅方法。
【符号の説明】
【００８９】
１０          ：無線通信システム            １００        ：端末装置
２００        ：基地局装置                  ２１０        ：ＣＰＵ
２２０        ：ストレージ                  ２２１        ：無線通信プログラム
２２２１      ：ＰＡ電流測定モジュール      ２２２        ：増幅器制御プログラム
２３０        ：メモリ                      ２５０        ：ＲＦ回路
２５１        ：アンテナ                    ２５２        ：増幅器
２５２１      ：ＣＡ                        ２５２２      ：ＰＡ
２５２３      ：四分の一波長インピーダンス反転回路
２５２４      ：測定回路                    ２５２５      ：スイッチ
２５２６      ：調整素子                    ２５２６      ：コイル
２５２８      ：コンデンサ                  ２５２４１    ：電源装置
２５２４２    ：コンパレータ                ２５２４３    ：抵抗
２５２５１    ：スイッチ端子                ２５２６１    ：コンデンサ  
【図１】
2019068225.tif 000003
【図２】
2019068225.tif 000004
【図３】
2019068225.tif 000005
【図４】
2019068225.tif 000006
【図５】
2019068225.tif 000007
【図６】
2019068225.tif 000008
【図７】
2019068225.tif 000009
【図８】
2019068225.tif 000010
【図９】
2019068225.tif 000011
【図１０】
2019068225.tif 000012
【図１１】
2019068225.tif 000013
【図１２】
2019068225.tif 000014
【図１３】
2019068225.tif 000015